(57)【要約】【課題】折り線３０を中心にして枚葉紙２０を折り畳むための折り装置と、折り線３０が上に位置して折り畳まれた枚葉紙２０が下方に向かって開放するように、折り畳まれた枚葉紙２０を互いに重ね合わせて丁合するための丁合装置１８とを有している、複数枚の印刷製品を製造するために枚葉紙をさらに処理する装置を改良して、構造的に簡単な手段によって、しかも比較的安価な構造的費用で、高い生産能力が得られるようにする。【解決手段】丁合する前に折り線３０の領域で枚葉紙２０に接着剤３４を塗布する接着剤塗布装置１６が設けられている。【選択図】図１
2004338387.tif 000002
【特許請求の範囲】
【請求項１】
複数枚の印刷製品を製造するために枚葉紙をさらに処理する方法であって、複数の枚葉紙を、折り線を中心にして折り畳み、次いで、折り線（３０）が上にきて、折り畳まれた枚葉紙（３０）が下方に向かって開放するように、丁合する方法において、
接着剤を、丁合する前に折り線（３０）の領域で枚葉紙（２０）に塗布することを特徴とする、複数枚の印刷製品を製造するために枚葉紙をさらに処理する方法。
【請求項２】
接着剤（３４）を枚葉紙（２０）の上側に塗布する、請求項１記載の方法。
【請求項３】
前記接着剤を、前記枚葉紙の下側に塗布する、請求項１記載の方法。
【請求項４】
複数枚の印刷製品を製造するために枚葉紙をさらに処理する装置であって、折り線（３０）を中心にして枚葉紙（２０）を折り畳むための折り装置と、折り線（３０）が上に位置して折り畳まれた枚葉紙（２０）が下方に向かって開放するように、折り畳まれた枚葉紙（２０）を互いに重ね合わせて丁合するための丁合装置（１８）とを有している形式のものにおいて、
丁合する前に折り線（３０）の領域で枚葉紙（２０）に接着剤（３４）を塗布する接着剤塗布装置（１６）が設けられていることを特徴とする、複数枚の印刷製品を製造するために枚葉紙をさらに処理する装置。
【請求項５】
前記接着剤塗布装置（１６）は、接着剤が枚葉紙の上側に塗布されるように、構成されかつ配置されている、請求項４記載の装置。
【請求項６】
前記接着剤塗布装置（１６）は、接着剤が枚葉紙の下側に塗布されるように、構成されかつ配置されている、請求項４記載の装置。
【発明の詳細な説明】
【技術分野】
【０００１】
本発明は、複数の枚葉紙を、折り線を中心にして折り畳み、次いで、折り線が上にきて、折り畳まれた枚葉紙が下方に向かって開放するように、丁合する、複数枚（multi-leaf）の印刷製品を製造するために枚葉紙をさらに処理する方法、並びに、折り線を中心にして枚葉紙を折り畳むための折り装置と、折り線が上に位置して折り畳まれた枚葉紙が下方に向かって開放するように、折り畳まれた枚葉紙を互いに重ね合わせて丁合するための丁合装置とを有する、複数枚の印刷製品を製造するために枚葉紙をさらに処理する装置に関する。
【背景技術】
【０００２】
ドイツ連邦共和国特許公開第１０２２０５５０号明細書に記載された、複数枚の印刷製品を製造するために枚葉紙をさらに処理する装置は、枚葉紙送り方向に対して直交する横方向に枚葉紙を折り畳むバックルフォルダ（buckle folder）を有している。このバックルフォルダにはナイフフォルダ続いており、このナイフフォルダが互いに逆向きに回転する２つの折りローラ間に枚葉紙を導入することによって、バックルフォルダから送られてくる枚葉紙が枚葉紙送り方向で折り畳まれるようになっている。折りローラの下にはフィードドラムが配置されており、このフィードドラムは折り畳まれた枚葉紙をグリッパによって引き取る。フィードドラムの下には、互いに逆向きに回転する２つの搬送ローラによって形成された枚葉紙開き装置（sheet opener）が配置されている。枚葉紙開き装置の下には搬送レールが配置されており、この搬送レール上で、開かれた枚葉紙が積み重ねられる。ナイフフォルダによって折られた枚葉紙は、折り縁部が下に位置し、枚葉紙が上に向かって開放するように、ナイフフォルダを通過する。フィードドラムによって枚葉紙は反転されて、折り縁部が上に位置して、枚葉紙が下に向かって開放し、それによって枚葉紙を搬送レール上に載せることができる。印刷製品のために必要な複数の枚葉紙が搬送レール状に重ねられると、互いに上下に積み重ねられた枚葉紙は搬送レールによって綴じ装置に供給される。
【０００３】
枚葉紙を反転させるためのフィードドラムの配置は構造的に非常に高価である。さらにまた、ナイフフォルダから送り出される枚葉紙を搬送レール上に載せるために付加的な作業段階が必要となる。さらに、枚葉紙が一緒に綴じ装置に供給される前に、まず搬送レール上で丁合する必要があることによって、時間が浪費される。
【特許文献１】ドイツ連邦共和国特許公開第１０２２０５５０号明細書
【発明の開示】
【発明が解決しようとする課題】
【０００４】
本発明の課題は、複数枚の印刷製品を製造するために枚葉紙をさらに処理する方法及び装置を改良して、構造的に簡単な手段によって、しかも比較的安価な構造的費用で、高い生産能力が得られるようにすることである。
【課題を解決するための手段】
【０００５】
この課題を解決した本発明の方法の手段によれば、複数の枚葉紙を、折り線を中心にして折り畳み、次いで、折り線が上にきて、折り畳まれた枚葉紙が下方に向かって開放するように、丁合する、複数枚の印刷製品を製造するために枚葉紙をさらに処理する方法において、接着剤を、丁合する前に折り線の領域で枚葉紙に塗布するようにした。
【０００６】
またこの課題を解決した本発明の装置の手段によれば、折り線を中心にして枚葉紙を折り畳むための折り装置と、折り線が上に位置して折り畳まれた枚葉紙が下方に向かって開放するように、折り畳まれた枚葉紙を互いに重ね合わせて丁合するための丁合装置とを有している形式の、複数枚の印刷製品を製造するために枚葉紙をさらに処理する装置において、丁合する前に折り線の領域で枚葉紙に接着剤を塗布する接着剤塗布装置が設けられている。
【発明の効果】
【０００７】
丁合する前に、接着剤が折り線の領域で枚葉紙に塗布されるようにしたことによって、枚葉紙は丁合の際に既に互いに結合されるようになっている。各枚葉紙を結合するためのその他の段階は必ずしも必要ではない。
【発明を実施するための最良の形態】
【０００８】
図１に示した、印刷製品を製造するための枚葉紙をさらに処理する装置１０は、枚葉紙送り方向ＢＬで見て相前後して、折り装置１２と、プレスローラ装置１４と、接着剤塗布装置１６と、丁合装置１８とを有している。折り装置１２は、フォーマ形折り器より形成されており、このフォーマ形折り器によって、枚葉紙供給装置（図示せず）から送られてくる枚葉紙２０が、枚葉紙送り方向ＢＬに延びる中心線に沿って、折り線３０が下方に向かって開放するように、折り畳まれる。次いで枚葉紙２０はプレスローラ装置１４に供給される。このプレスローラ装置１４は２つのプレスローラ２２，２４を有しており、これらのプレスローラ２２，２４が、枚葉紙２０を折り線３０の範囲でプレス、それによって所定の折り線３０が形成されるようになっている。
【０００９】
接着剤塗布装置１６は接着結合ヘッド２６を有していて、この接着結合ヘッド２６の端面に接着結合ノズル２８が設けられている。接着結合ヘッド２６は、ライン３２を介して接着剤リザーバに接続されている。接着結合ノズル２８は、枚葉紙２０が接着剤塗布装置１６に達した時に、折り線３０上に直接位置するよう配置されている。制御装置（図示せず）によって制御されて、接着剤塗布装置１６は上方から折り線３０上に、所定の間隔を保って所定量の接着剤スポット３４を塗布する。次いで枚葉紙２０は重ね合わされて丁合され、接着剤３４によって接着結合される。
【００１０】
図２に示した装置４０は、図１に示した装置１０に対して、接着結合ノズル２８を備えた接着結合ヘッド２６が枚葉紙２０の下に配置されている点で異なっている。この装置４０の場合には、接着剤は下から折り線３０に供給される。
【図面の簡単な説明】
【００１１】
【図１】本発明の第１実施例による、枚葉紙を処理する装置の概略図である。
【図２】本発明の第２実施例による、枚葉紙を処理する装置の概略図である。
【符号の説明】
【００１２】
１０  枚葉紙を処理する装置、  １２  折り装置、  １４  プレスローラ装置、  １６  接着剤塗布装置、  １８  丁合装置、  ２０  枚葉紙、  ２２，２４  プレスローラ、  ２６  接着結合ヘッド、  ２８  接着結合ノズル、  ３０  折り線、  ３２  ライン、  ３４  接着剤スポット、  ４０  枚葉紙を処理する装置
【図１】
2004338387.tif 000003
【図２】
2004338387.tif 000004